(57)【要約】【課題】身長と体重からＤｕＢｏｉｓ式により算出される、体表面積値、及び体表面積値に定数を乗じて算出される複数の薬剤投与量が、容易に求められるスケールの提供。【解決手段】鞘状をなし内部に、後記滑り尺を有する固定尺２と、その中を、左右自在に動く滑り尺１１からなる。固定尺２には上部に窓穴３、その下方に窓穴４、窓穴５、窓穴６を形成し、窓穴３の上縁に身長目盛り７を、窓穴４の上縁に体表面積読みとり矢印８を、窓穴５の上縁にＡ薬剤の投与量読みとり矢印９を、窓穴６の上縁にＢ薬剤の投与量読みとり矢印１０を表示する。滑り尺１１に、固定尺２の窓穴３の窓上縁に露出する様に体重目盛り１２を、窓穴４の窓上縁に露出する様に体表面積目盛り１３を、窓穴５の窓上縁に露出する様にＡ薬剤の投与量目盛り１４を、窓穴６の窓上縁に露出する様にＢ薬剤の投与量目盛り１５を表示する。【選択図】図１
0003133761.tif 000002
【実用新案登録請求の範囲】
【請求項１】
ＤｕＢｏｉｓ式により算出される体表面積値と、その体表面積値と薬剤毎に指定された定数を乗じ、算出される薬剤投与量を求める体表面積薬剤別投与量早見スケールであって、前記式の身長を対数目盛で表した身長目盛り、体表面積値を読みとる体表面積値読みとり矢印、及び薬剤投与量を読みとる薬剤投与量読みとり矢印を有する第１スケールと、
前記式の体重を対数目盛で表した体重目盛り、体表面積を対数目盛で表した体表面積目盛り、及び前記薬剤毎に指定された定数を乗じ、算出される薬剤投与量を対数目盛で表した薬剤投与量目盛りを有する第２スケールと、を備え、前記身長目盛りと体重目盛りとを、目盛り合わせ可能に対応させると共に、前記体表面積値読みとり矢印と、体表面積目盛りとを、前記薬剤投与量読みとり矢印と、薬剤投与量目盛りとを、目盛り値を読みとり可能に対応させ、
且つ前記第１スケール及び前記第２スケールの一方を固定尺とし、他方を滑り尺としたことを特徴とする体表面積薬剤別投与量早見スケール。
【請求項２】
請求項１に記載の薬剤投与量は、薬剤毎に、薬剤投与量目盛り、薬剤投与量読みとり矢印を増やすことにより、複数の薬剤投与量を同時に求められる体表面積薬剤別投与量早見スケール。
【考案の詳細な説明】
【技術分野】
【０００１】    本考案は、ＤｕＢｏｉｓ式により算出される体表面積値、及び体表面積１ｍ２あたりで薬剤毎に指定されている定数と、体表面積値を乗じて、算出される薬剤別の投与量が、容易に把握できる体表面積薬剤別投与量早見スケールに関するもの。
【背景技術】
【０００２】    この種のスケールとして、対象者の体重および身長から肥満度を求めるものが知られている。
【特許文献１】  実用新案登録第３１１２２７２号
【考案の開示】
【考案が解決しようとする課題】
【０００３】  抗癌剤などの薬剤投与量は、薬剤毎に体表面積１ｍ２あたりの投与量が指定されている。薬剤投与量は対象の人の体表面積を算出し、算出された体表面積値に１ｍ２あたりの投与量である定数を乗じて薬剤毎に投与量を算出している。抗癌剤の例では複数の薬剤を使用するが、薬剤毎に１ｍ２あたりの投与量である定数が違い、それぞれ薬剤投与量を算出している。本考案例では１ｍ２あたりの投与量が８５ｍｇのＡ薬剤、１ｍ２あたりの投与量が４００ｍｇのＢ薬剤の２種の薬剤投与量が同時に求められる例である。数１は、体表面積算出式の一つであるＤｕＢｏｉｓ式である。数２は抗癌剤の一つの例である体表面積１ｍ２あたりの投与量が８５ｍｇのＡ薬剤の投与量算出式であり、数３は抗癌剤の別の例である体表面積１ｍ２あたりの投与量が４００ｍｇのＢ薬剤の投与量算出式である。
【数１】
0003133761.tif 000003
【数２】
0003133761.tif 000004
【数３】
0003133761.tif 000005
このようにＤｕＢｏｉｓ式に基づき体表面積値を求め、同時に複数の薬剤投与量が求められる従来のようなスケールは、存在しない。【０００４】  本考案は固定尺と滑り尺を用いることにより、従来行っていた、まず体表面積を算出し、その体表面積値と薬剤毎に１ｍ２あたりの投与量で指定された定数を乗算し、投与量を算出することなく、誰でも簡単に体表面積値、および薬剤別の投与量を同時に求めることができる、体表面積薬剤別投与量早見スケールの提供を目的としている。
【課題を解決するための手段】
【０００５】    本考案の要旨とするところは、鞘状になった固定尺と、その中を、長さ方向に滑る、滑り尺とで構成し、この固定尺に、対数目盛で作成された身長目盛り、体表面積値の読みとり矢印、Ａ薬剤投与量の読みとり矢印、Ｂ薬剤投与量の読みとり矢印を表示し、滑り尺に、対数目盛で作成された体重目盛り、体表面積目盛り、Ａ薬剤投与量目盛り、Ｂ薬剤投与量目盛りを表示し、滑り尺を動かし、固定尺の窓部で接した身長の目盛りと、体重の目盛りの目盛り同志を合わせ、固定尺の窓部にある各読みとり矢印点と接した滑り尺の目盛りを読みとることにより、数１、数２、数３の計算値が容易に求められる、体表面積薬剤別投与量早見スケール。
【考案の効果】
【０００６】    本考案は上記のような構成、機能であるから、誰でも簡単な操作により体表面積値、複数の薬剤投与量を、同時に求めることができるものである。
【考案を実施するための最良の形態】
【０００７】    鞘状になった固定尺と、その固定尺の中を、長さ方向に滑る、滑り尺とで構成され、固定尺の表面に、上下に４つの長方形の開口窓を有する。一番上の窓上縁部に沿って身長の目盛りを表示し、上から二番目の窓の上縁部中央に、体表面積値の読みとり矢印、上から三番目の窓の上縁部中央に、Ａ薬剤投与量の読みとり矢印、一番下の窓の上縁部中央にＢ薬剤投与量の読みとり矢印、を表示し、他方前記滑り尺の表面に、固定尺の一番上の窓から見える部分に、窓の上縁に沿って、体重目盛り、上から二番目の窓から見える部分に、窓の上縁に沿って、体表面積目盛り、上から三番目の窓から見える部分に、窓の上縁に沿ってＡ薬剤投与量目盛り、一番下の窓から見える部分に、窓の上縁に沿ってＢ薬剤投与量目盛り、を表示する。
【実施例】
【０００８】    以下、本考案の実施の形態について図面を参照し説明します。
図１は本考案の正面図、図２は固定尺の正面図、図３は滑り尺の正面図です。
図４は本考案例での各目盛り、各矢印の設定数値、設定位置を表した固定尺の正面図、図５は本考案例での各目盛りの設定数値、設定位置を表した滑り尺の正面図です。【０００９】    図中１は、体表面積薬剤別投与量早見スケールであり、後記固定尺と滑り尺からなるものである。【００１０】    ２は鞘状で、内部を長手方向に滑り尺が自由に動く固定尺で、表面一番上に長方形の窓３を有し、窓の上縁部に対数目盛で表された身長目盛り７を表示する。上から二番目に長方形の窓４を有し、窓の上縁部中央に体表面積値の読みとり矢印８を表示し、上から三番目に長方形の窓５を有し、窓の上縁部中央にＡ薬剤投与量の読みとり矢印９を表示し、一番下に長方形の窓６を有し、窓の上縁部中央にＢ薬剤投与量の読みとり矢印１０を表示する。体表面積値の読みとり矢印８、Ａ薬剤投与量の読みとり矢印９、Ｂ薬剤投与量の読みとり矢印１０は、図４の点線Ｙ１通りＹ軸方向に直線上の位置とする。【００１１】    １１は前記固定尺の内部を長手方向へ可動する滑り尺である。滑り尺１１の表面一番上には、固定尺２の一番上の窓３の上縁に露出する様、対数目盛で表された体重目盛り１２を表示し、滑り尺１１の表面上から二番目には、固定尺２の上から二番目の窓４の上縁に露出するよう対数目盛で表された体表面積目盛り１３、滑り尺１１の表面上から三番目には、固定尺２の上から三番目の窓５の上縁に露出する様、対数目盛で表されたＡ薬剤投与量目盛り１４、滑り尺１１の表面一番下には、固定尺２の一番下の窓６の上縁に露出する様、対数目盛で表されたＢ薬剤投与量目盛り１５を表示する。【００１２】    身長目盛り、体重目盛り、体表面積目盛り、Ａ薬剤投与量目盛り、Ｂ薬剤投与量目盛り、の５つの目盛りは、すべて対数目盛で作成する。【００１３】    対数目盛は、倍率に対する距離巾を決めて、目盛りを作成、数値を記入をすることにより、対数目盛りとしての形態を指定すことができる。【００１４】    数１から対数目盛の目盛り設定の比率は以下の比率となる
【数４】
0003133761.tif 000006
【００１５】    ５つの目盛りの単位、表示巾、及びここでの対数目盛の作成条件である目盛数値２倍間の距離数値は数４から、表１の様に設定する。
【表１】
0003133761.tif 000007
図４で身長目盛り、数値２倍間の距離数値１６は７２．５ｍｍであり、図５で体重目盛、数値２倍間の距離数値１７は、４２．５ｍｍ、体表面積目盛り、Ａ及びＢ薬剤の投与量目盛りの数値２倍間の距離数値１８は、１００．０ｍｍです。作成した５つの目盛りは、５つ全てを同じ比率で縮小、拡大しても同じ計算機能を果たす。【００１６】    固定尺の身長目盛り、滑り尺の体重目盛り、体表面積目盛りのＸ軸方向の設定位置は図４、図５のＹ１の点線の様に固定尺の身長目盛り１６０ｃｍの目盛り線と体表面積値の読みとり矢印、滑り尺の体重目盛り５０ｋｇの目盛り線と体表面積目盛りの１，５ｍ２の目盛り線が、Ｙ軸方向に直線上となるように、それぞれの目盛り、矢印の位置を設定する。それは数１で、身長１６０ｃｍ体重５０ｋｇの人の体表面積値は約１．５０ｍ２となるからである。【００１７】    滑り尺の体表面積目盛りとＡ薬剤投与量目盛りのＸ軸方向の設定位置は、図５のＹ２の点線の様に、体表面積の２．０ｍ２の目盛り線とＡ薬剤投与量目盛りの目盛り線の１７０ｍｇが、Ｙ軸方向に直線上になるように設定する。それは数２で体表面積２．０ｍ２の人のＡ薬剤の投与量は、１７０ｍｇとなることによる。
滑り尺の体表面積目盛りとＢ薬剤投与量目盛りのＸ軸方向の設定位置は、図５のＹ２の点線の様に、体表面積目盛りの２．０ｍ２の目盛り線とＢ薬剤投与量目盛りの目盛り線の８００ｍｇが、Ｙ軸方向に直線上になるように設定する。それは数３で体表面積２．０ｍ２の人のＢ薬剤の投与量は８００ｍｇとなることによる。【００１８】    本考案では、求める薬剤投与量は、Ａ、Ｂと２種の薬剤としてあるが、表示する窓を増やし、薬剤毎に指定されている薬剤投与量の定数を乗じた目盛り、薬剤投与量読みとり矢印を作成、前項同様の位置関係に設定し、表示することにより、多数の薬剤別投与量が同時に求められる。【００１９】    固定尺に表した身長目盛り、滑り尺に表した体重目盛りは、固定尺に体重目盛り、滑り尺に身長目盛りを表示しても良い。この場合でも同様の機能を果たす。【００２０】    ５つの目盛り、読みとり矢印は、薬剤毎に色を変えると、一層数値の読みとりが、し易くなる。【００２１】    固定尺のおもて面側に身長目盛り、体表面積値の読みとり矢印、滑り尺のおもて面側に体重目盛り、体表面積目盛りを表示し、固定尺の裏面側に薬剤投与量読みとり矢印、滑り尺の裏面側に薬剤投与量目盛りを表示することもできる。この場合は、薬剤の種類を増やすことに、より有効であり、片面のみで表示する場合に対して、スケールの上下巾を、小さくすることができる。【００２２】    次に本考案の使用方法について説明する。
図１において滑り尺１１を動かして、固定尺の一番上に位置する窓３の上縁に表示された身長目盛り７と、滑り尺１１に表示された体重目盛り１２の、目盛り線同志を合わせた状態で、固定尺２の上から２番目の窓４の上縁に表示された体表面積値の読みとり矢印８の点に接する、滑り尺１１の体表面積目盛り１３を読みとり、体表面積値が求められる。同時に固定尺２の上から３番目の窓５の上縁に表示されたＡ薬剤投与量の読みとり矢印９の点に接する、滑り尺１１のＡ薬剤投与量目盛り１４を読みとり、Ａ薬剤投与量が、一番下の窓６の上縁に表示されたＢ薬剤投与量の読みとり矢印１０の点に接する、滑り尺１１に表示されたＢ薬剤投与量目盛り１５を読みとり、Ｂ薬剤投与量が同時に求められる。
【図面の簡単な説明】
【００２３】
【図１】本考案の正面図である。
【図２】固定尺の正面図である。
【図３】滑り尺の正面図である。
【図４】本考案例での目盛り設定、位置設定を表した固定尺の正面図
【図５】本考案例での目盛り設定、位置設定を表した滑り尺の正面図
【符号の説明】
【００２４】    １  体表面積薬剤別投与量早見スケール
２  固定尺
３  窓穴
４  窓穴
５  窓穴
６  窓穴
７  身長目盛り
８  体表面積値の読みとり矢印
９  Ａ薬剤投与量の読みとり矢印
１０  Ｂ薬剤投与量の読みとり矢印
１１  滑り尺
１２  体重目盛り
１３  体表面積目盛り
１４  Ａ薬剤投与量目盛り
１５  Ｂ薬剤投与量目盛り
１６  身長目盛数値２倍間の距離数値
１７  体重目盛り数値２倍間の距離数値
１８  体表面積目盛り、Ａ薬剤投与量目盛り、Ｂ薬剤投与量目盛り、数値２倍間の距離        数値
Ｙ１  身長目盛り、体重目盛り、体表面積目盛り、体表面積値の読みとり矢印、Ａ薬剤        投与量の読みとり矢印、Ｂ薬剤与量の読みとり矢印の位置関係を示す点線
Ｙ２  体表面積目盛り、Ａ薬剤投与量目盛り、Ｂ薬剤投与量目盛の位置関係を示す点線
【図１】
0003133761.tif 000008
【図２】
0003133761.tif 000009
【図３】
0003133761.tif 000010
【図４】
0003133761.tif 000011
【手続補正書】
【提出日】平成19年5月15日(2007.5.15)
【手続補正１】
【補正対象書類名】図面
【補正対象項目名】全図
【補正方法】変更
【補正の内容】
【図１】
0003133761.tif 000012
【図２】
0003133761.tif 000013
【図３】
0003133761.tif 000014
【図４】
0003133761.tif 000015
【図５】
0003133761.tif 000016